(57)【特許請求の範囲】
【請求項１】
配線基板上に発光ダイオードを実装した照明基板と、上面に文字等の任意な表示形状を施し、前記配線基板と前記発光ダイオードとを収納する切り欠き部と収納凹部とを有する光透過性と光拡散性を併せ持つプラスチックコア部材と、該プラスチックコア部材の側面及び上面を覆う形状で、前記配線基板を収納する前記プラスチックコア部材の切り欠き部より深い切り欠き部を有する光透過性を持つプラスチックカバー部材とを有し、前記プラスチックコア部材と前記プラスチックカバー部材とを切り欠き部で位置合わせして被せるように構成されたことを特徴とする照光式押しボタン。
【請求項２】
前記プラスチックコア部材の最下面より上方向に隙間を有するように照明基板を配置し、前記プラスチックコア部材の下面が押しボタンとしての最下面を形成していることを特徴とする請求項１記載の照光式押しボタン。
【請求項３】
前記照明基板の下面側に光遮光性を持つプラスチック部材を配設したことを特徴とする請求項１記載の照光式押しボタン。
【請求項４】
複数に枝分かれした配線基板上にそれぞれ発光ダイオードを実装した照明基板と、前記配線基板と前記発光ダイオードとを収納する切り欠き部と収納凹部とを有するプラスチックコア部材と、該プラスチックコア部材の側面及び上面を覆う形状で、前記配線基板を収納する前記プラスチックコア部材の切り欠き部より深い切り欠き部を有する光透過性を持つプラスチックカバー部材とにより構成されたことを特徴とする請求項１ないし３のいずれかに記載の照光式押しボタン。
【発明の詳細な説明】
【０００１】
【発明の属する技術分野】
本発明は携帯電話、コードレス電話、車載オーディオ機器等の電子機器等の操作及び表示部に広く用いられている照光式押しボタンに関する。
【０００２】
【従来の技術】
近年、携帯電話、コードレス電話、車載オーディオ機器等の電子機器等の操作及び表示部に広く使用されている一般的な照光式押しボタンスイッチの構造として図１２に示すものがある。その概要について説明する。
【０００３】
図１２（ａ）は、スイッチを押す前の状態、図１２（ｂ）は、スイッチを押した状態を示すいずれもラバースイッチと組み合わせた構造を示す正面（断面）図である。図１２において、スイッチ基板１上にスイッチ接点１ａと発光体２（例えば、ＬＥＤ）が配設されている。前記スイッチ基板１の上側に円錐形状をしたラバースイッチ３の導電ゴム３ａがスイッチ基板１上に形成されたスイッチ接点１ａと対応するように配置されている。更に、前記ラバースイッチ３の上側に略円柱形又は略直方体をしたプラスチックコア部材４を配設する。該プラスチックコア部材４の表面には印刷等により文字等の任意な表示形状５が施されている。図中、スイッチ基板１の上面からプラスチックコア部材４の上面迄の距離は、図１２（ａ）でＬ１、図１２（ｂ）でＬ２とすると、Ｌ１＞Ｌ２となり、図１２（ａ）のように離れているときはＬＥＤは暗くなり、図１２（ｂ）のように接近して距離が短くなるとＬＥＤは明るくなる。
【０００４】
図１３は、従来の照光式押しボタンの他の例であり、プラスチックコア部材４の表面に形成した文字等の任意な表示形状５の上に透明なプラスチックシート６を貼付したものである。
【０００５】
図１４は、図１２のプラスチックコア部材４の表面に形成した文字等の任意な表示形状５の上に透明な樹脂でコーティング被膜７を形成したものである。
【０００６】
図１５は、文字等の任意形状を２色成形で形成したものであり、図１５（ａ）は、上面に文字等の任意な表示形状を有する１色目のコアの斜視図である。１５（ｂ）は、２色成形後のプラスチックコア部材の斜視図である。図１５（ｃ）は、図１５（ｂ）のＡ−Ａ線断面図である。前記１色目のコア８とプラスチックコア部材４とで２色成形で文字等の任意な表示形状５を形成すのに、例えば、丸、三角等のように閉じた形状を形成する場合、コア８の丸、三角等の閉じた形状の内側と外側を製法上つなぎ箇所８ａが必要となる。
【０００７】
【発明が解決しようとする課題】
しかしながら、前述した照光式押しボタンには次のような問題点がある。即ち、図１２に示すプラスチック部材のキートップを指等で繰り返し押し続けると、印刷等で形成された文字等の任意な表示形状が削れて取れてしまう。また、図１３に示すプラスチックコア部材のキートップを指等で繰り返し押し続けると、プラスチックシートが剥がれてしまい、結果として文字等の任意な表示形状が削れて取れてしまう。また、図１４に示すプラスチック部材のキートップを指等で繰り返し押し続けると、コーティング被膜が薄くしか形成出来ないため、いずれコーティング被膜が剥がれてしまい印刷等で形成された文字等の任意な表示形状が削れて取れてしまう。また、図１５に示すプラスチックコア部材は、２色成形されているため文字等の任意な表示形状は削れて取れてしまうことはないが、上述したように、丸、三角等のように閉じた形状を形成する場合、丸、三角等の閉じた形状の内側と外側を製法上つなぎ箇所（８ａ）が必要であり、そこが下面から照光した場合に前記つなぎ箇所（８ａ）が陰となり表示品質を著しく落としている等の課題があった。
【０００８】
また更に、図１２〜図１５のいずれの従来例においても、スイッチ基板上に実装した発光体（例えば、ＬＥＤ）はスイッチと共にプラスチックコア部材（ボタン）とは別体で構成されているためボタンを押した時と、押していない時とでボタン表面から発光体（スイッチ基板表面）までの距離（図１５でＬ１又はＬ２）が変化し照明状態がボタンを押すことにより変化すると言う課題があった。
【０００９】
本発明は上記従来の課題に鑑みなされたものであり、その目的は、キートップを繰り返し操作してもボタン上の文字等の任意な表示形状が変化することがなく、また発光体の耐久性が高く、照明品質が優れた安価な照光式押しボタンを提供するものである。
【００１０】
【課題を解決するための手段】
上記目的を達成するために、本発明における照光式押しボタンは、配線基板上に発光ダイオードを実装した照明基板と、上面に文字等の任意な表示形状を施し、前記配線基板と前記発光ダイオードとを収納する切り欠き部と収納凹部とを有する光透過性と光拡散性を併せ持つプラスチックコア部材と、該プラスチックコア部材の側面及び上面を覆う形状で、前記配線基板を収納する前記プラスチックコア部材の切り欠き部より深い切り欠き部を有する光透過性を持つプラスチックカバー部材とを有し、前記プラスチックコア部材と前記プラスチックカバー部材とを切り欠き部で位置合わせして被せるように構成されたことを特徴とするものである。
【００１１】
また、前記プラスチックコア部材の上面に文字等の任意な表示形状を施したことを特徴とするものである。
【００１２】
また、前記配線基板上の発光体は、発光ダイオードであることを特徴とするものである。
【００１３】
また、前記プラスチックコア部材の最下面より上方向に隙間を有するように照明基板を配置し、前記プラスチックコア部材の下面が押しボタンとしての最下面を形成していることを特徴とするものである。
【００１４】
また、前記照明基板の下面側に光遮光性を持つプラスチック部材を配設したことを特徴とするものである。
【００１５】
また、複数に枝分かれした配線基板上にそれぞれ発光ダイオードを実装した照明基板と、前記配線基板と前記発光ダイオードとを収納する切り欠き部と収納凹部とを有するプラスチックコア部材と、該プラスチックコア部材の側面及び上面を覆う形状で、前記配線基板を収納する前記プラスチックコア部材の切り欠き部より深い切り欠き部を有する光透過性を持つプラスチックカバー部材とにより構成されたことを特徴とするものである。
【００１６】
【発明の実施の形態】
以下図面に基づいて本発明における照光式押しボタンについて説明する。図１〜図７は、本発明の第１の実施の形態であり、図１は、プラスチックカバー部材の斜視図である。図２は、プラスチックコア部材の斜視図である。図３は、照明基板の斜視図である。図４は、照光式押しボタンの正面（断面）図である。図５は、照光式押しボタンの側面（断面）図である。図６は、上面に印刷等により文字等の任意な表示形状を形成した状態のプラスチックコア部材の斜視図である。図７は、プラスチックコア部材と照明基板の位置関係を示す正面（断面）図である。図において、従来技術と同一部材は同一符号で示す。
【００１７】
図１において、プラスチックカバー部材１１は、略透明なプラスチックで略円筒形状に成形され、有底で開口部の円周に鍔部１１ａを有し、その一部に後述する配線基板が入るＦＰＣ切り欠き部１１ｂが形成されている。
【００１８】
図２において、プラスチックコア部材４は、前記プラスチックカバー部材１１の中に入るように略円筒形状に成形され、乳白色又は透明樹脂の表面にシボ加工等を行うことにより、後述する発光体の発光する光を十分に拡散し、光透過性と光拡散性を併せ持つプラスチックコア部材４となり、全体を均一に照明する機能を有している。このようにして、プラスチックコア部材４は、全体を均一に照明するので、照明品質としては十分なものになる。前記プラスチックコア部材４の底部には、発光体２（ＬＥＤ）の収納凹部４ａと発光体２（ＬＥＤ）を実装した配線基板の入るＦＰＣ切り欠き部４ｂが形成されている。また、図６に示すように、その上面には印刷等により文字等の任意な表示形状５が形成されている。この文字等の任意な表示形状５は、上記したプラスチックカバー部材１１をプラスチックコア部材４に被せた状態で、透明なカバーであるプラスチックカバー部材１１を通して明瞭に視認することができる。
【００１９】
図３において、照明基板１２は、配線基板（ＦＰＣ）１２ａの一方の端部に発光体２（ＬＥＤ）が実装され、他方の端部にコネクター接続部１２ｂが配設されている。
【００２０】
図４及び図５において、照光式押しボタン１０は、上述したプラスチックコア部材４の収納凹部４ａに照明基板１２の発光体２（ＬＥＤ）を収納し、ＦＰＣ切り欠き部４ｂとプラスチックカバー部材１１のＦＰＣ切り欠き部１１ｂとを位置合わせして被せることにより構成される。
【００２１】
上記したプラスチックカバー部材１１を使用する目的は、指等でキートップを繰り返し押し続けても、プラスチックコア部材４の上面に印刷等により形成されている透視できる文字等の任意な表示形状５に直接接触することがないので、従来技術のように文字等の任意な表示形状５は削れて取れることがなく、文字等の任意な表示形状５の明瞭さを保持することができる。
【００２２】
前記配線基板（ＦＰＣ）１２ａの一方の端部に実装した発光体２は、小型で安価な発光ダイオード（ＬＥＤ）が最も適している。
【００２３】
図７において、前記プラスチックコア部材４の最下面より上方向に隙間ｔを有するように照明基板１２を配置し、前記プラスチックコア部材４の下面が押しボタンとしての最下面を形成する如く構成するのは、前記プラスチックカバー部材１１を用いて図示しないラバースイッチを押したときに、プラスチックコア部材４とスイッチの間に挟まれたスイッチの打鍵に伴う上下動作及び打鍵の押し圧で発光体２（ＬＥＤ）にダメージを与えてしまうことを防止するものである。
【００２４】
図８は、本発明の第２の実施の形態に係わる照光式押しボタン１０の正面（断面）図である。前記照明基板１２の下面側に光遮光性を持つプラスチック部材１３を配設したものである。プラスチック部材１３を配することにより、図７における隙間ｔを設けなくても、上述したスイッチの打鍵に伴う上下動作及び打鍵の押し圧で発光体２（ＬＥＤ）にダメージを与えてしまうことを防止するものである。更に、プラスチック部材１３により光が下面側に漏れることを防止することが出来る。
【００２５】
図９及び図１０は、本発明の第３の実施の形態に係わり、図９は複合された照光式押しボタンの上面図である。図１０はその斜視図である。図９及び図１０において、複数本に枝分かれし一体で形成された配線基板１２Ａ上の端部にそれぞれ発光体２（ＬＥＤ）を実装し、前述した第１の実施の形態と同様に、配線基板１２Ａ上の発光体２（ＬＥＤ）を覆う如くプラスチックコア部材４を配設し、プラスチックカバー部材１１でプラスチックコア部材４の側面及び上面を覆うことにより、複数個の照光式押しボタンを一体化し複合された照光式押しボタン１０が構成される。前記配線基板１２Ａの枝の１本にはコネクター接続部１２ｂが配設されている。従って、基板を複数個から１個にすることが可能となり部品点数の削減及び組立工数の低減となり、コストダウン及び信頼性も向上させることが出来る。
【００２６】
上述した第１〜第３の実施の形態において、照光式押しボタン１０と発光体２（ＬＥＤ）が一体になっているため、ボタンを押した時と押していない時で、ボタン表面から発光体２（ＬＥＤ）までの距離が変化し、照明状態がボタンを押すことによって変化すると言う問題は解消される。また、２色成形の照光式押しボタンのような陰も作らなくてすむ。
【００２７】
図１１は、上記第３の実施の形態で説明した照光式押しボタンをスイッチと組み合わせた構造を示す断面図である。図１１において、ラバースイッチ３の上面を照光式押しボタン１０のプラスチック部材１４で押すことにより、ラバースイッチ３の導電ゴム３ａとスイッチ基板１上に配設された接点１ａとが導通され照明基板１２上の発光体２（ＬＥＤ）が照明される。
【００２８】
【発明の効果】
以上説明したように、本発明によれば、文字等の任意な表示形状に直接接触することがないので、文字等の任意の表示形状は削れて取れることがなく、明瞭さを保持することができる。また、プラスチックコア部材を乳白色又は透明な樹脂の表面をシボ加工することにより、発光体の発する光を拡散し均一に照明するので、照明品質が高い。更に、発光体にＬＥＤを使用すること及び基板を複数個から１個にすることによりコストダウンが可能になる。また更に、繰り返しの打鍵に対する発光体の耐久性に優れた安価な照光式押しボタンを提供することができる。
【図面の簡単な説明】
【図１】本発明の第１の実施の形態に係わる照光式押しボタンを構成するプラスチックカバー部材の斜視図である。
【図２】本発明の第１の実施の形態に係わる照光式押しボタンを構成するプラスチックコア部材の斜視図である。
【図３】本発明の第１の実施の形態に係わる照光式押しボタンを構成する照明基板の斜視図である。
【図４】本発明の第１の実施の形態に係わる照光式押しボタンの正面（断面）図である。
【図５】図４の照光式押しボタンの側面（断面）図である。
【図６】図２のプラスチックコア部材の上面に文字等の任意な表示形状を印刷した状態のプラスチックコア部材の斜視図である。
【図７】図４のプラスチックコア部材と照明基板の位置関係を示す照光式押しボタンの正面（断面）図である。
【図８】本発明の第２の実施の形態に係わる照光式押しボタンの正面（断面）図である。
【図９】本発明の第３の実施の形態に係わる照明基板を一体化した複数個の照光式押しボタンの上面図である。
【図１０】図９の照明基板を一体化した複数個の照光式押しボタンの斜視図である。
【図１１】図８の照光式押しボタンとラバースイッチとを組み合わせた構造を示す正面（断面）図である。
【図１２】従来の照光式押しボタンとラバースイッチとを組み合わせた構造を示す正面（断面）図である。
【図１３】図１２のプラスチックコア部材にプラスチックシートを貼付した状態の斜視図である。
【図１４】従来のプラスチックコア部材にコーティング膜を形成した状態の正面図である。
【図１５】従来の２色成形した照光式押しボタンの説明図で、図１５（ａ）は、１色目のコアの斜視図、（ｂ）は、２色成形後の照光式押しボタンの斜視図、（ｃ）は、（ｂ）のＡ−Ａ線断面図である。
【符号の説明】
１  スイッチ基板
２  発光体（ＬＥＤ）
３  ラバースイッチ
４  プラスチックコア部材
５  文字等の任意な表示形状
１１  プラスチックカバー部材
１２  照明基板
１２ａ、１２Ａ  配線基板
１２ｂ  コネクター接続部
１３  プラスチック部材
ｔ  隙間
【図１】
0004172665.tif 000002
【図２】
0004172665.tif 000003
【図３】
0004172665.tif 000004
【図４】
0004172665.tif 000005
【図５】
0004172665.tif 000006
【図６】
0004172665.tif 000007
【図７】
0004172665.tif 000008
【図８】
0004172665.tif 000009
【図９】
0004172665.tif 000010
【図１０】
0004172665.tif 000011
【図１１】
0004172665.tif 000012
【図１２】
0004172665.tif 000013
【図１３】
0004172665.tif 000014
【図１４】
0004172665.tif 000015
【図１５】
0004172665.tif 000016